【手続補正書】
【提出日】平成18年2月6日(2006.2.6)
【手続補正１】
【補正対象書類名】特許請求の範囲
【補正対象項目名】全文
【補正方法】変更
【補正の内容】
【特許請求の範囲】
【請求項１】
ネットワーク(40)と、
ネットワーク(40)を通じて互いに通信する第１ノード(80)と、第２ノード(82)と、少なくとも１つの第３ノード(84)とを含んでおり、
第１ノード(80)は、第１ノード(80)のシーンの第１ビデオストリームと、第１ノード(80)のシーンの第２ビデオストリームと、第１ノード(80)のシーンのオーディオストリームとを第２及び第３ノード(82)(84)に送り、
第２及び第３ノード(82)(84)は、そのオーディオストリームと、第１ビデオストリーム又は第２ビデオストリームの何れかとを再生することを特徴とする電気通信システム(10)。
【請求項２】
第１ビデオストリームのフレームレートは、１秒間に２５フレームよりも大きく又はそれと等しく、第２ビデオストリームのフレームレートは、１秒間に２５フレームよりも小さいことを特徴とする、請求項１に記載のシステム(10)。
【請求項３】
第２及び第３ノード(82)(84)は、ディスプレイスクリーン(54)を有しており、
第２又は第３ノードは、スクリーン(54)の２０％よりも大きい又はそれに等しい領域に渡って、第１ビデオストリームを大きい画像として表示し、スクリーン(54)の２０％よりも小さい領域に渡って、第２ビデオストリームを小さい画像として表示することを特徴とする、請求項１乃至２に記載されたシステム(10)。
【請求項４】
ネットワーク(40)を通じて、第１、第２及び第３ノード(80)(82)(84)と通信する第４ノードを具えており、
第４ノードは、第１、第２及び第３ノード(80)(82)(84)にテレビジョンチャンネルのテレビジョンビデオストリームを送り、
第１、第２及び第３ノード(80)(82)(84)は、スクリーン(54)上にて第１ビデオストリームの横にそのテレビジョンストリームを表示できる、請求項１乃至３に記載されたシステム(10)。
【請求項５】
第２ノード(82)は、第２ノード(82)のシーンの第１ビデオストリームと、第２ノード(82)のシーンの第２ビデオストリームと、第２ノード(82)のシーンのオーディオストリームとを第３ノード(84)に送り、
第３ノード(84)は、ディスプレイコントローラ(52)を具えており、
ディスプレイコントローラ(52)は、スクリーン(54)上に現れる画像を制御し、各ノードから送られた各第１ビデオストリームを、第３ノード(84)のスクリーン(54)上に互いに並べて再生する、請求項１乃至４に記載のシステム(10)。
【請求項６】
ネットワーク(40)は、イーサネット又はＡＴＭネットワーク(40)である、請求項１乃至５に記載のシステム(10)。
【請求項７】
会議ブリッジ又はＭＣＵを用いることなく、ビデオ会議コール用として、ネットワーク(40)上にて、第１及び第２ノード(80)(82)の第１及び第２ビデオストリームと、それらのオーディオストリームとを送る手段を具えている、請求項１乃至６に記載のシステム(10)。
【請求項８】
ビデオ会議コールのノードの各ストリームは、ＡＴＭのポイントツーマルチポイントを構成することを特徴とする、請求項１乃至７に記載のシステム(10)。
【請求項９】
第３ノード(84)は、第１又は第２ノード(80)(82)から送られる第１又は第２ビデオストリームのどれが表示されるかを予め定めることを特徴とする、請求項１乃至８に記載のシステム(10)。
【請求項１０】
第１若しくは第２ノード(80)(82)の夫々のシーンにおけるユーザが話している場合、又は、第１若しくは第２ノード(80)(82)の第１ビデオストリームを表示するように第３ノード(84)が予め定められている場合、第３ノード(84)は、第１又は第２ノード(80)(82)から送られる第１のビデオストリームの表示を選択することを特徴とする、請求項１乃至９に記載のシステム(10)。
【請求項１１】
第１及び第２ノード(80)(82)の第１ビデオストリームは、ネットワーク(40)で送られる際にＭＰＥＧ-２フォーマットにされていることを特徴とする、請求項１乃至１０に記載のシステム(10)。
【請求項１２】
第１及び第２ノード(80)(82)は、連続的なＰを用いて、第１及び第２ノード(80)(82)の第１ビデオストリームをＭＰＥＧ-２フォーマットにすることを特徴とする、請求項１乃至１１に記載のシステム(10)。
【請求項１３】
第１及び第２ノード(80)(82)は、各々のシーンの第１ビデオストリームをクリップすることを特徴とする、請求項１乃至１２に記載のシステム(10)。
【請求項１４】
第１及び第２ノード(80)(82)は、各々のシーンの第１ビデオストリームを、各々のシーンにおけるユーザがいない場所について第１ビデオストリームの部分を削除して、クリップすることを特徴とする、請求項１乃至１３に記載のシステム(10)。
【請求項１５】
第１及び第２ノード(80)(82)は、各々のシーンのオーディストリームを、各々のシーンにて閾値を超えたノイズがある場合にのみ送ることを特徴とする、請求項１乃至１４に記載のシステム(10)。
【請求項１６】
第１ノード(80)は、自動プレゼンスセンサ(76)を具えており、
自動プレゼンスセンサ(76)は、ユーザが第１ノード(80)のシーンに存在するか否かを判断して、ユーザが第１ノード(80)に存在するか否かを示すプレゼンスインジケータ(79)を生成し、
第１ノード(80)は、プレゼンスインジケータ(79)を第２及び第３ノード(82)(84)に送る手段を具えていることを特徴とする、請求項１乃至１５に記載のシステム(10)。
【請求項１７】
第１ノード(80)は、第１ノード(80)のシーンの全てのユーザに、プレゼンスインジケータ(79)が所定の時間内に作成されようとしている旨を警告する警告信号を生成することを特徴とする、請求項１乃至１６に記載のシステム(10)。
【請求項１８】
第１ノード(80)は、第１シーンのビデオ画像を取得して第１ビデオストリームを生成するイメージング手段(30)を具えていることを特徴とする、請求項１乃至１７に記載のシステム(10)。
【請求項１９】
イメージング手段(30)と通信して、フレームバッファリングを行うことなく、第１ビデオストリームを圧縮して、所望のフォーマットにエンコードするエンコーダ(36)を具えることを特徴とする、請求項１乃至１８に記載のシステム(10)。
【請求項２０】
第１ノード(80)は、エンコーダ(36)と通信するフィールドプログラマブルゲートアレイ(38)を含んでおり、
フィールドプログラマブルゲートアレイ(38)は、第１ビデオストリームをパケット化し、イメージング手段(30)から第１ビデオストリームを受け取り、第１ノード(80)の第２ビデオストリームを生成し、それをパケット化することを特徴とする、請求項１乃至１９に記載のシステム(10)。
【請求項２１】
第１ノード(80)は、フィールドプログラマブルゲートアレイ(38)及びネットワーク(40)と通信するネットワークインターフェイス(42)を含んでおり、
ネットワークインターフェイス(42)は、第１ノード(80)のビデオストリームをネットワーク(40)に転送し、第２ノードから(82)第１ビデオストリームを受信し、それをフィールドプログラマブルゲートアレイ(38)に送ることを特徴とする、請求項１乃至２０に記載のシステム(10)。
【請求項２２】
第１ノード(80)は、第１シーンの音声を受け取り、第１ノード(80)のオーディオストリームを生成するマイクロホン手段(58)(60)(62)を含むことを特徴とする請求項１乃至２１に記載のシステム(10)。
【請求項２３】
第１ノード(80)は、スピーカ手段(64)を具えており、
スピーカ手段(64)は、ネットワークインターフェイス(42)と通信して、第２ノード(82)から送られるオーディオストリームを再生することを特徴とする、特徴とする請求項１乃至２２に記載のシステム(10)。
【請求項２４】
第１ノード(80)は、ＤＳＰ(62)を含んでおり、
ＤＳＰ(62)は、第１ノード(80)のオーディオストリームをパケット化して、フィールドプログラマブルゲートアレイ(38)にオーディオストリームを供給し、
フィールドプログラマブルゲートアレイ(38)は、第１ノード(80)のオーディオストリームをネットワークインターフェイス(42)に転送し、
ネットワークインターフェイス(42)は、第１ノード(80)のオーディオストリームをネットワーク(40)に転送し、
ＤＳＰ(62)は、フィールドプログラマブルゲートアレイ(38)から、第２ノード(82)のオーディオストリームを受け取ることを特徴とする、請求項１乃至２３に記載のシステム(10)。
【請求項２５】
第１ノード(80)は、オーディオインターフェイス(60)を含んでおり、
オーディオインターフェイス(60)は、マイクロフォン手段(58)(60)(62)から第１ノード(80)のオーディオストリームを受け取って、それをデジタル化してＤＳＰ(62)に供給し、ＤＳＰ(62)から受け取った第２ノード(82)から送られたオーディオストリームを、スピーカ手段(64)が再生するアナログ形式に変換することを特徴とする、請求項１乃至２４に記載のシステム(10)。
【請求項２６】
ネットワークインターフェイス(42)は、第１ノード(80)のオーディオストリーム及びビデオストリームのパケットがネットワーク(40)に送られる前に、それらにタイムスタンプを付し、第１ノード(80)が受け取る第２ノード(82)のオーディオストリーム及びビデオストリームのパケットを、タイムスタンプを用いて整列し、第２ノード(82)のオーディオストリーム及びビデオストリームのパケットが第１ノード(80)で再生されると、第２ノード(82)のシーンの画像に関する音声が再生されることを特徴とする、請求項１乃至２５に記載のシステム(10)。
【請求項２７】
第１ノード(80)は、第２ノード(82)から送られる第１ビデオストリームを受け取って格納する受信メモリと、ネットワークインターフェイス(42)、エンコーダ(36)、フィールドプログラマブルゲートアレイ(38)及びＤＳＰ(62)に接続されて、それらを制御するメインコントローラ(50)とを具えており、
メインコントローラ(50)は、ネットワークインターフェイス(42)に指示して、第２ノード(82)の第１ビデオストリームを選択して、それを受信メモリに送り、受信メモリに格納された第２ノード(82)の第１ビデオストリームをデコード及び伸張して、それをディスプレイコントローラ(52)に送ることを特徴とする、請求項１乃至２６に記載のシステム(10)。
【請求項２８】
第１ノード(80)は、ディスプレイコントローラ(52)に接続されたＬＣＤコントローラ(72)を含んでおり、
ディスプレイスクリーン(54)は、ＬＣＤコントローラ(72)に接続されたパネルディスプレイを含んでおり、
ＬＣＤコントローラ(72)は、ディスプレイコントローラ(52)から第２ノード(82)の第１ビデオストリームを受け取り、第２ノード(82)の第１ビデオストリームをパネルに表示する準備をすることを特徴とする、請求項１乃至２７に記載のシステム(10)。
【請求項２９】
機能に関するボタンがタッチスクリーン(74)に見えており、
タッチスクリーンコントローラは、タッチスクリーン(74)及びメインコントローラ(50)に接続されており、ユーザがタッチスクリーン(74)上でタッチしたボタンに関する情報を、メインコントローラ(50)に転送することを特徴とする、請求項１乃至２８に記載のシステム(10)。
【請求項３０】
第１ノード(80)は、デコーダ(34)を含んでおり、
デコーダ(34)は、イメージング手段から送られる第１ノード(80)のシーンの第１ビデオストリームをデジタル形式に変換して、それをエンコーダ(36)及びフィールドプログラマブルゲートアレイ(38)に供給し、
デコーダ(34)は、フィールドプログラマブルゲートアレイ(38)及びエンコーダ(36)に接続されており、
さらに、デコーダ(34)は、テレビジョンビデオストリームと、その他のアナログ形式のビデオストリームを受け取って、それらをデジタル形式に変換することを特徴とする、請求項１乃至２９に記載のシステム(10)。
【請求項３１】
イメージング手段は、デコーダ(34)と通信するアナログビデオカメラ(32)、エンコーダ(36)及びフィールドプログラマブルゲートアレイ(38)と通信するデジタルビデオカメラ(47)、又は、フィールドプログラマブルゲートアレイ(38)と通信するファイヤラインカメラ(48)であって、フィールドプログラマブルゲートアレイ(38)は、ファイヤラインカメラ(48)から受け取ったビデオストリームをエンコード(36)するファイヤラインカメラ(48)を具えていることを特徴とする、請求項１乃至３０に記載のシステム(10)。
【請求項３２】
ＤＳＰ(62)は、第１ノード(80)のシーンのオーディオストリームのステレオエコーキャンセルを行い、
エンコーダ(36)は、第１ノード(80)の第１ビデオストリームに少なくとも７２０×６４０ピクセルの解像度を与え、
マイクロホン手段及びスピーカ手段は、全二重であることを特徴とする、請求項１乃至３１に記載のシステム(10)。
【請求項３３】
ＤＳＰ(62)は、スピーカ手段(64)で生成されるノイズについてマイクロホン手段(58)(60)(62)をモニタし、スピーカ手段(64)を調整して所望のノイズレベルを維持することを特徴とする、請求項１乃至３２に記載のシステム(10)。
【請求項３４】
メインコントローラ(50)は、ユーザによるコマンドを認識して、ビデオ会議の別のユーザに自動的にコールし、そのコマンドを用いて、その他のユーザに、彼らがビデオ会議を求められている旨をアナウンスすることを特徴とする、請求項１乃至３３に記載のシステム(10)。
【請求項３５】
第１ノード(80)がビデオコールを受け入れられない場合、第１ノード(80)にビデオメールがもたらされることを特徴とする、請求項１乃至３４に記載のシステム(10)。
【請求項３６】
ネットワーク(40)及び第１ノード(80)と通信するサーバ(66)を具えており、
サーバ(66)は、第１ノード(80)がビデオコールを受信出来ない場合に、第１ノード(80)へのビデオコールを受信し、第１ノード(80)が受信出来ないビデオコールに関するビデオメッセージを格納し、第１ノード(80)で見られることを待っているビデオコールがある旨のビデオコール待ちメッセージを第１ノード(80)に送ることを特徴とする、請求項１乃至３５に記載のシステム(10)。
【請求項３７】
第１ノード(80)は、ディスプレイコントローラ(52)に接続された複数のディスプレイスクリーン(54)を有しており、
個々のノードから送られる第１ビデオストリームの画像は、複数のスクリーン(54)が１つの連続的なスクリーン(54)であるかのように、並べてスクリーン(54)上に表示されることを特徴とする、請求項１乃至３６に記載のシステム(10)。
【請求項３８】
第１ノード(80)は、第２イメージング手段を具えており、
第２イメージング手段は、第１ノード(80)のシーンのビューがイメージング手段と異なっている第１ノード(80)の第１ビデオストリームを生成することを特徴とする、請求項１乃至３７に記載のシステム(10)。
【請求項３９】
メインコントローラ(50)は、フィールドプログラマブルゲートアレイ(38)から送られた第１ノード(80)の第２ビデオストリームを、ディスプレイコントローラ(52)に送り、
第２ビデオストリームがディスプレイスクリーン(54)上に表示されて、第１ノード(80)のユーザは、ディスプレイスクリーン(54)上にて第１ノード(80)のシーンを見ることを特徴とする、請求項１乃至３８に記載のシステム(10)。
【請求項４０】
シーンのビデオ画像を取得するイメージング手段(30)と、
シーンの第１ビデオストリームと、シーンの第２ビデオストリームとをビデオ画像から生成し、第１ビデオストリーム及び第２ビデオストリームをネットワーク(40)に同時に送る生成手段(36)(38)(42)とを具えており、
生成手段(36)(38)(42)はイメージング手段と通信することを特徴とするビデオフォン(15)。
【請求項４１】
シーンのビデオ画像を取得する工程と、
シーンの第１ビデオストリームと、シーンの第２ビデオストリームとをビデオ画像から生成する工程と、
第１ビデオストリーム及び第２ビデオストリームをネットワーク(40)に同時に送る工程を含むことを特徴とするビデオコール方法。
【請求項４２】
シーンが異なる複数のビデオストリームをネットワーク(40)から受け取る受信手段(42)と、
複数のビデオストリームの個々のシーンを並べて表示する表示手段(52)(54)とを具えており、
受信手段は、表示手段と通信することを特徴とするビデオフォン(15)。
【請求項４３】
シーンが異なる複数のビデオストリームをネットワーク(40)から受け取る受信手段(42)と、
複数のビデオストリームの個々のシーンを、様々な大きさの所定の領域に同時に表示する表示手段(52)(54)とを具えており、
表示手段は、受信手段と通信することを特徴とするビデオフォン(15)。
【請求項４４】
シーンが異なる複数のビデオストリームをネットワーク(40)から受け取る受信工程と、
複数のビデオストリームの個々のシーンを、様々な大きさの所定の領域に同時に表示する工程とを含むことを特徴とするビデオコール方法。
【請求項４５】
テレビジョンチャンネルのビデオストリームを少なくとも１つ含んでいるシーンが異なる複数のビデオストリームを、ネットワーク(40)から受け取る受信手段(42)(34)と、
テレビジョンチャンネルの横に、複数のビデオストリームの少なくとも１つのシーンを表示する表示手段と(52)(54)とを具えており、
表示手段は、受信手段と通信することを特徴とするビデオフォン(15)。
【請求項４６】
テレビジョンチャンネルのビデオストリームを少なくとも１つ含んでいるシーンが異なる複数のビデオストリームを、ネットワーク(40)から受け取る工程と、
テレビジョンチャンネルの横に、複数のビデオストリームの少なくとも１つのシーンを表示する工程とを含むことを特徴とするビデオコール方法。
【請求項４７】
シーンのビデオ画像を取得するイメージング手段(30)と、
シーンのビデオストリームをビデオ画像から生成し、会議ブリッジ又はＭＣＵを用いることなく、シーンのビデオストリームをネットワーク(40)上にて複数の送り先に同時に送る生成手段(36)(38)(42)とを具えており、
生成手段は、イメージング手段と通信することを特徴とするビデオフォン(15)。
【請求項４８】
シーンのビデオ画像を取得する工程と、
シーンのビデオストリームをビデオ画像から生成する工程と、
会議ブリッジ又はＭＣＵを用いることなく、シーンのビデオストリームをネットワーク(40)上にて複数の送り先に同時に送る工程とを含むことを特徴とするビデオコール方法。
【請求項４９】
第１ビデオストリームのビットレートは、１秒当たり１.５Ｍｂｉｔｓより大きい又はそれと等しく、第２ビデオストリームのビットレートは、１秒当たり１.５Ｍｂｉｔｓよりも小さいことを特徴とする請求項１乃至３９に記載のシステム(10)。